(57)【要約】【課題】耐火二層管の性能と遮音性を損なわずに遮音シートへの浸水を簡単且つ確実に防止する。【解決手段】合成樹脂製の内管１を繊維混入モルタル製の外管２で被覆した耐火二層管３の外周を、吸音材６からなる内層と、防水性耐火材８の外層と、これら内層と外層の間に遮音材７からなる中間層とを有する耐火防水性の遮音シート５で捲回した構成の縦管用耐火二層遮音管１２において、縦管用耐火二層遮音管の上端側で外管を遮音シートから突出させ、該外管の突出部１３の周面から該遮音シートの上端部周面までを防水材１４で被覆した。防水材を、外管の突出部の周面から該遮音シートの上端部周面までを覆う第１防水材１４ａと、第１防水材の外管の周面上の端部を覆う第２防水材１４ｂで構成する。【選択図】図５
2011033093.tif 000002
【特許請求の範囲】
【請求項１】
合成樹脂製の内管を繊維混入モルタル製の外管で被覆した耐火二層管の外周を、吸音材からなる内層と、防水性耐火材の外層と、これら内層と外層の間に遮音材からなる中間層とを有する耐火防水性の遮音シートで捲回した構成の縦管用耐火二層遮音管において、該縦管用耐火二層遮音管の上端側で外管を遮音シートから突出させ、該外管の突出部の周面から該遮音シートの上端部周面までを防水材で被覆したことを特徴とする縦管用耐火二層遮音管。
【請求項２】
上記防水材を、上記外管の突出部の周面から該遮音シートの上端部周面までを覆う第１防水材と、第１防水材の外管の周面上の端部を覆う第２防水材で構成したことを特徴とする請求項１に記載の縦管用耐火二層遮音管。
【請求項３】
上記遮音シートの内層をフェルトあるいは発泡樹脂の吸音材とし、外層をアルミガラスクロス製の防水性耐火材とし、中間層をポリ塩化ビニールシートの遮音材とし、上記防水材をアルミガラスクロス製の粘着テープとしたことを特徴とする請求項１に記載の縦管用耐火二層遮音管。
【発明の詳細な説明】
【技術分野】
【０００１】
本発明は、縦管用として使用される耐火二層管の周囲に遮音シートを捲回した構成の縦管用耐火二層遮音管に関する。
【背景技術】
【０００２】
従来、高層住宅やオフィスビルなどの配管として、図１乃至図３に示したような、硬質塩化ビニール製の内管１の外周を繊維混入モルタル製の外管２で被覆した構成の耐火二層管３が使用されている（特許文献１）。この耐火二層管３は、内管１が塩化ビニール製であるため錆びることがなく排水などの流通性が良く、繊維混入モルタルの外管２は耐火性があるので、火災の延焼を防止できる利点があり、通常は、床スラブに埋設された繊維混入モルタルの外皮で合成樹脂製の継手内管を被覆した構成の耐火二層管継手４を介して配管接続される（特許文献２）。  
【０００３】
また、これらの耐火二層管３や耐火二層管継手４に、その内部を流通する排水の騒音が外部へ漏れ難くするための遮音シート５で覆うことも行われている（特許文献３、特許文献４）。この遮音シート５の一例の詳細は図３に示す如くであり、フェルトや発泡ウレタンなどの吸音材６と、ゴムやポリ塩化ビニールシートなどの遮音材７を重層し、その上に更にアルミフィルムとガラスクロスを重合したアルミガラスクロスの防水性耐火材８を貼り合わせて構成されている。
【先行技術文献】
【特許文献】
【０００４】
【特許文献１】特開２００３−１６１３９２
【特許文献２】特開平９−３１０３８９
【特許文献３】特開２００６−９０５３８
【特許文献４】特開２００８−１０１７６２
【発明の概要】
【発明が解決しようとする課題】
【０００５】
上記したように耐火二層管継手４は床スラブ１０に埋設され、その上下の縦管接続口に耐火二層管３が接続されるが、遮音シート５を巻きつけた耐火二層管継手４の場合、排水騒音は小さくなるが、上層階で床スラブ上に水溜りが生じると、図２の経路９で示したようにその水が遮音シート５の層と繊維混入モルタルの外皮との間を伝って床スラブ１０を抜け、更に耐火二層管３の外管２とその遮音シート５との間に侵入し、階下の室が浸水したり、耐火二層管３にカビが発生したりするようになる。耐火二層管継手４の床スラブ１０の貫通部上縁１１に防水塗装を施せば階下への漏水を防止できるが、実際は、継手４の横枝管と床スラブ１０との間には狭い隙間しかないので、完全な防水塗装は困難である。
【０００６】
また、配管工事現場において耐火二層管３が雨水を被って遮音シート５へ浸透する事故が生じた場合は、吸音材から水分が抜けにくく、カビ発生などの原因になるので、この場合は水濡れした耐火二層管３を交換する再工事を行なうことが要求され、工事費用が嵩む不都合がある。
【０００７】
本発明は、こうした不都合等を解消し、耐火二層管の性能と遮音性を損なわずに遮音シートへの浸水を簡単且つ確実に防止することを課題とするものである。
【課題を解決するための手段】
【０００８】
本発明では、上記課題を解決すべく、合成樹脂製の内管を繊維混入モルタル製の外管で被覆した耐火二層管の外周を、吸音材からなる内層と、防水性耐火材の外層と、これら内層と外層の間に遮音材からなる中間層とを有する耐火防水性の遮音シートで捲回した構成の縦管用耐火二層遮音管において、該縦管用耐火二層遮音管の上端側で外管を遮音シートから突出させ、該外管の突出部の周面から該遮音シートの上端部周面までを防水材で被覆した。該防水材は、該外管の突出部の周面から該遮音シートの上端部周面までを覆う第１防水材と、第１防水材の外管の周面上の端部を覆う第２防水材で構成され、該遮音シートの内層をフェルトあるいは発泡樹脂の吸音材とし、外層をアルミガラスクロス製の防水性耐火材とし、中間層をポリ塩化ビニールシートの遮音材とし、該防水材をアルミガラスクロス製の粘着テープとすることで、安価に本発明の課題を解決できる。
【発明の効果】
【０００９】
上層の階で漏水が発生したとき、床スラブに埋設した耐火二層管継手の周囲を伝って縦管用耐火二層遮音管の上端部へと漏水するが、該遮音管に巻かれた遮音シートよりも外管が突出しており、遮音シートの上端部は外管の突出部の周面から該遮音シートの上端部周面までを覆った防水材により遮蔽されているので、漏水は防水材の表面に沿って遮音シートの外層の防水性耐火材の表面へと流れ、遮音シートの吸音材に侵入することがなく、カビや異臭の発生が防止できる。また、配管作業のために用意した縦管用耐火二層遮音管が降雨などにより水濡れしても、その防水材を設けた上端側からは遮音シート内に浸水することがないので資材の品質の低下を防止できる。
【００１０】
この耐火二層管はその長さを調整するとき、外管を内管からスライドさせ、必要な寸法に内管及び外管を切断し、遮音シートも切断されるが、防水材を外管の周面と遮音シートの上端周面にまたがって被覆してあるので、この切断作業を滞り無く実施できる。
【００１１】
該防水材を、上記のように外管の突出部の周面から該遮音シートの上端部周面までを第１防水材で覆い、更に第１防水材の外管の周面上の端部を第２防水材で覆うことにより、外管の周面から第１防水材が遊離することを防げ、確実な防水性が得られる。また、該防水材をアルミガラスクロス製の粘着テープとすることにより、耐火性が具備されるので、遮音シートの内層をフェルトあるいは発泡樹脂の吸音材とし、外層をアルミガラスクロス製の防水性耐火材とし、中間層をポリ塩化ビニールシートの遮音材とした遮音シートを持つ耐火二層管の耐火性を維持できる。
【図面の簡単な説明】
【００１２】
【図１】従来の縦管用耐火二層遮音管の施工状態の側面図
【図２】図１の場合の漏水経路の説明図
【図３】図１の要部の拡大図
【図４】本発明の実施例の一部切断側面図
【図５】図４の要部の拡大図
【図６】本発明の縦管用耐火二層遮音管の施工状態における漏水経路の説明図
【発明を実施するための形態】
【００１３】
本発明の実施の形態を図面に基づき説明すると、図４及び図５において、符号３は合成樹脂製の内管１を繊維混入モルタル製の外管で被覆した耐火二層管、符号５は該耐火二層管３の外周に捲回した遮音シートを示し、該遮音シート５は、内層を構成するフェルトや発泡ポリウレタンなどの吸音材６と、アルミ箔とガラスクロスを重合したアルミガラスクロス製の防水性耐火材８の外層と、これらの内層と外層の間のポリ塩化ビニールシート製の遮音材７からなる中間層を備えて縦管用耐火二層遮音管１２に構成されており、こうした構成は前記した従来のものと略同様で、合成樹脂製の継手内管１７の外周を繊維混入モルタル製の継手外管１８で覆い、その外周に遮音シート５ａを備えた耐火二層管継手４の上下の接続口に縦管として接続されることも従来のものと同様である。
【００１４】
本発明のものでは、図５に明示したように、縦管用耐火二層遮音管１２の上端側で外管２と遮音シート５の上端から例えば２０〜３０ｍｍ突出させ、その突出部１３の周面から遮音シート５の上端部周面までをアルミガラスクロス製の粘着テープからなる防水材１４を被覆接着し、これにより縦管として耐火二層管継手４に接続したとき、その周囲からの漏水が遮音シート５の吸音材６に浸入することがないようにした。その詳細は図６に示す如くであり、防水材１４は外管２の突出部１３の周面から遮音シート５の上端部周面までを覆う第１防水材１４ａと、第１防水材１４ａの外管の周面上の端部１５を覆う第２防水材１４ｂで構成し、第１防水材１４ａが突出部１３の周面から遊離し難くなるようにした。
【００１５】
本発明のものによれば、耐火二層管継手４の周囲からの漏水は図６に示すように接続部を覆う耐火カバー１６の内面を伝って遮音シート５へと流下するが、第１、第２の防水材１４に阻まれて防水性耐火材８の表面に沿って流れ、吸音材６に浸透することがなく、カビや異臭の原因になることがなく、漏水に伴う後始末を短時間に終え得る。また、配管現場において降雨などに曝されても防水材１４により吸音材６に浸水することが防止でき、資材の品質の低下を防止できる。また、縦管用耐火二層遮音管１２の長さ寸法を短く調整するときは、該内管１と外管２を相対的にスライドさせ、内管１、外管２および遮音シート５を切断することで簡単に調整できる。
【符号の説明】
【００１６】
１  内管、２  外管、３  耐火二層管、４  耐火二層管継手、５  遮音シート、６  吸音材、７  遮音材、８  防水性耐火材、１２  縦管用耐火二層遮音管、１３  突出部、１４  防水材、１４ａ  第１防水材、１４ｂ  第２防水材、
【図１】
2011033093.tif 000003
【図２】
2011033093.tif 000004
【図３】
2011033093.tif 000005
【図４】
2011033093.tif 000006
【図５】
2011033093.tif 000007
【図６】
2011033093.tif 000008